(57)【要約】      （修正有）【課題】日常的に用いられているキャップを被る簡易さで使用することができ、且つ目的を効果的に達成することができる肌調整効果を高める入浴用キャップの提供。【解決手段】肌調整効果を高めた入浴用キャップ１は、冠載部２と案内つば部３とを一体に有し、案内つば部３は、浴槽Ｂ内での入浴姿勢において湯面近くに張り出して湯気Ｓを顔面付近に集中させるように案内し前記冠載部２または案内つば部３には湯気Ｗを上方に排除するための通気構造の連気口３０を有する。【選択図】図１
0003113454.tif 000002
【実用新案登録請求の範囲】
【請求項１】
冠載部と案内つば部とを一体に有し、前記案内つば部は、入浴姿勢において湯面近くに張り出して湯気を顔面付近に集中させるように案内し、また前記冠載部または案内つば部には湯気を上方に排除するための通気構造を有することを特徴とする肌調整効果を高めた入浴用キャップ。
【請求項２】
前記案内つば部の案内作用面は、傾斜状態を保って額部に連なるように形成されていることを特徴とする請求項１記載の肌調整効果を高めた入浴用キャップ。
【請求項３】
前記通気構造は、通気状態を変更自在としていることを特徴とする請求項１また２記載記載の肌調整効果を高めた入浴用キャップ。
【請求項４】
前記案内つば部または冠載部の内側には、香気材料の保持部が設けられていることを特徴とする請求項１、２また３記載の肌調整効果を高めた入浴用キャップ。
【請求項５】
前記肌調整効果を高めた入浴用キャップの構造は、一枚のブランクシートに切り抜かれたシート状の始発状態のものを折り曲げることにより立体的に形成することができることを特徴とした請求項１、２、３または４記載の肌調整効果を高めた入浴用キャップ。
【考案の詳細な説明】
【技術分野】
【０００１】
本考案は、入浴時に美顔効果等を得ることができる肌調整効果を高めた入浴用キャップに関するものである。
【背景技術】
【０００２】
従来から、入浴時に浴湯からの湯気を顔に集中させ、発汗を促したり皮脂を積極的に取り除くことにより美顔効果等の肌調整効果を高める手法が提案されている。
これに用いるものとしては例えば、特開平１０−１５５８６８号公報の「浴槽カバー」、実開平４−３７４２号公報の「入浴発汗帽」がある（特許文献１、特許文献２）。
しかしながらいずれも、使い勝手の点や使用時の心地良さの点で充分なものとは言えない。
【特許文献１】特開平１０−１５５８６８号公報（図１）
【特許文献２】実開平４−３７４２号公報（図１）
【考案の開示】
【考案が解決しようとする課題】
【０００３】
本考案は、このような背景を認識してなされたものであって、日常的に用いられているキャップを被る簡易さで使用することができ、且つ目的を効果的に達成することができる肌調整効果を高める入浴用キャップの開発を技術課題としたものである。
【課題を解決するための手段】
【０００４】
すなわち請求項１記載の肌調整効果を高めた入浴用キャップは、冠載部と案内つば部とを一体に有し、前記案内つば部は、入浴姿勢において湯面近くに張り出して湯気を顔面付近に集中させるように案内し前記冠載部または案内つば部には湯気を上方に排除するための通気構造を有することを特徴として成るものである。
【０００５】
また請求項２記載の肌調整効果を高めた入浴用キャップは、前記要件に加え、前記案内つば部３の案内作用面については、傾斜状態を保って額部に連なるように形成されていることを特徴として成るものである。
【０００６】
更にまた請求項３記載の肌調整効果を高めた入浴用キャップは、前記要件に加え、前記通気構造については、通気状態を変更自在としていることを特徴として成るものである。
【０００７】
更にまた請求項４記載の肌調整効果を高めた入浴用キャップは、前記要件に加え、前記案内つば部または冠載部の内側には、香気材料の保持部が設けられていることを特徴として成るものである。
【０００８】
更にまた請求項５記載の肌調整効果を高めた入浴用キャップは、前記要件に加え、その構造は、一枚のブランクシートに切り抜かれたシート状の始発状態のものを折り曲げることにより立体的に形成することができることを特徴として成るものである。
【考案の効果】
【０００９】
請求項１記載の考案によれば、一般的な屋外用キャップと同様に頭部に被って浴槽に浸かることにより、湯気を顔面に効果的に集中させることができる。この結果、この入浴用キャップにより仕切られた中に湯気が集中し顔面に接するために、効果的に発汗作用が促されて肌の新陳代謝を高めることができる。
【００１０】
請求項２記載の考案によれば、案内つば部３の案内作用面は、傾斜状態を保って額部に連なるように形成されていることにより、広い範囲の湯面から湯気を顔面に効果的に集中させることができる。
この結果、この入浴用キャップにより仕切られた中に充分な量の湯気が集めることができ、効果的に発汗作用が促されて肌の新陳代謝を高めることができる。
【００１１】
請求項３記載の考案によれば、湯気の排出側の通気状態を変更し、湯気の通過量を調整することによりサウナ効果を自在に調整することができる。この結果、使用者は自己の体質や体調に応じたサウナ効果を選ぶことができ、最適な美顔効果を得ることができる。
【００１２】
請求項４記載の考案によれば、使用者は、好みの香気材料を詰めた袋を入浴用キャップの内部に保持することができるので、サウナ効果に合わせて香りによるリラクゼーション（アロマセラピー効果）を得ることができる。この結果、サウナ効果とともに同時に精神的なストレスを除去することにより、複合的に肌調整効果を高めることができる。
【００１３】
請求項５記載の考案によれば、組み立てる前の状態が一枚のブランクシートから切り抜いたシート状であるために、製造コストを低廉なものとすることができるうえに、シート状に広げて適宜折り畳むことによりコンパクトな状態で携行でき、使用する際に折り曲げて立体形状として使用することができる。また更に、使用後においては、再度シート状の始発状態に戻すことにより、その表面に付着した水分や香気材料の成分などを簡単に拭き取ることができ、常に衛生的に使用することができる。
【考案を実施するための最良の形態】
【００１４】
本考案を実施するための最良の形態は、以下述べる実施例をその一つとするものであるとともに、この技術思想に基づく種々の改良した実施例も含まれるものである。
【実施例】
【００１５】
以下本考案の肌調整効果を高めた入浴用キャップについて、図面を参照しながら説明するものであり、はじめに肌調整効果を高めた入浴用キャップについてその構成を説明した後、このものの使用態様について説明する。
【００１６】
図中符号１で示すものが本考案の肌調整効果を高めた入浴用キャップであり、このものは頭にのせる冠載部２と案内つば部３とによって成るものである。
まず冠載部２について説明すると、このものは、その後方等に使用者Ｕのサイズに合わせて調整できる一部バンド状としたサイズ調整部２０を具える。なお従来から用いられているサイズ調整を目的とした機構であれば、適用することも可能でである。
もちろん、この肌調整効果を高めた入浴用キャップ１は、その使用環境を考慮し、撥水性ないしは、水を湿潤状態に含まない素材が好ましく、一定のいわゆる「こし」を持った発泡樹脂、あるいは一定の変形と保形が達成できる薄い樹脂シートにより構成されることが好ましい。
なお発泡樹脂等の比較的柔軟な素材の場合は、冠載部２を頭部Ｈに被ったときに後述する連気口３０が下方からの湯気Ｓの通気を確保できるように、額部等に充分な空隙ができるような連気口３０を確保しておくことが必要である。
【００１７】
次に案内つば部３について説明する。
この案内つば部３は、その上方部には、通気構造としての連気口３０を具えるおり、その下側の先端縁部３１を、顔面から充分に張り出して且つ、浴槽Ｂ内での通常の入浴姿勢において、湯面近くまで伸びるように形成されるものである。
更にその側縁部３２についても、頭部Ｈ側方まで覆うような形状にすることが好ましい。
なお連気口３０の配置については、案内つば部３に配置するほかに冠載部２の一部に設けることも差し支えない。
【００１８】
本考案の肌調整効果を高めた入浴用キャップ１は、以上のような構成をとるものであって、以下このものの使用方法を説明する。
まずこの使用するあたり使用者Ｕは、冠載部２の一部に設けられたバンド状のサイズ調整部２０を用いて使用者Ｕの頭部Ｈに合わせてずれることがないように調整する。
次に使用者Ｕは、図１に示すように入浴姿勢において、頭部Ｈに通常の屋外用キャップ同様に肌調整効果を高めた入浴用キャップ１を被り、適宜の時間その姿勢のまま維持する。
その結果、顔面部Ｆの前方側に案内つば部３が充分に張り出し、案内つば部３下方の湯Ｗの表面から生じるの湯気Ｓを顔面部Ｆに集中させることになりサウナのように発汗作用が促進され、顔面部Ｆの皮膚に残った老廃物を取り除かれる。
なお、後述する香気材料の入った小袋Ｐの取り付ける作業などを、適宜準備段階において行う。
【００１９】
本考案は以上述べた実施の形態を一つの基本的な技術思想とするものであるが、更に次のような改変が考えられる。
〔湯気の流量を変更しサウナ効果を調整することができる実施例〕
まず図３（ａ）（ｂ）に示すように、連気口３０については、その一部が解放状態と閉鎖状態とを変更できるようにした通気調整部３０Ａとすることができる。
具体的には、連気口３０の一部を蓋状部材で開け閉めできるようにするものである。
このことにより、肌調整効果を高めた入浴用キャップ１の内部に流れる湯気Ｓの流量を変更することができため、使用者Ｕの体調や好みにあわせたサウナ効果を実現することが可能である。
【００２０】
〔香気材料によるリラクゼーションを付加した実施例〕
また、例えば図１、２に示すように、案内つば部３の先端縁部３１の内側近くにポケット状の香料保持部３３等を形成させておき、ここに好みの香料が入った小袋Ｐを保持して、香気成分を得るようにしても良い。
一般に顔面部Ｆの皮膚は、体調の健康状態によりそのコンディションは大きく変わる一方で、精神的なストレスによっても同様に肌のコンディションに大きく影響を与えると考えられており、このように香気材料による香りを合わせて嗅ぐことにより、発汗作用の促進と同時に香りによるリラクゼーションも得られることから、多面的な肌調整効果を高めることができる。
【００２１】
〔シート状とした入浴用キャップの実施例〕
上述した実施例においては、シート状である冠載部２や案内つば部３等の各パーツを縫製して立体的な形状としているが、パーツごとではなく、すべてのパーツを一枚のシート状になるように配置構成することも可能である。
この場合は、図４に示すように一枚のシート状の入浴用キャップ１となり、使用する際は、このシート状の冠載部２のサイズ調整部２０をつなぎ合わせて立体的にして使用する。このような構成にすることにより、上述した立体的に縫製した入浴用キャップ１に比べて製造コストを低廉に抑えることができるうえに、その携行を容易にすることができる。更には、その使用後においても始発状態であるシート状に戻すことにより表面の拭き取り作業が容易に行えるので、特に香気材料の成分が付着した内側表面の汚れなどを落としやすく、常に清潔な状態で使用することができる。
また、図４に示すようにサイズ調整部２０の構造は、シート状部材に取り付けられたボタン２０ａを用いるボタン式や、図５（ａ）に示す抜け出し防止のロック作用を奏するくびれ部を具えた差込部２０ｂを一方に設けられた孔部に嵌め込む嵌込式や、図５（ｂ）に示すストラップ状にのびたそれぞれの端部に面状ファスナ２０ｃを用いた面状ファスナ式などが適用できる。もちろん図５（ｃ）に示すような、単にそれぞれの端部に対向するスリット２０ｄをいれて、それぞれを合わせるだけのシンプルな構造であっても差し支えない。
【００２２】
この他にもシート状に展開したものを予め立体的に組み立ててたサンバイザーのようなタイプも可能である。
この場合は、図５（ｄ）に示すように、いわゆるゴムバンド２０ｅのような伸縮性を有するバンドを用いてつなぎ合わせることにより、いわゆるフリーサイズ機能を具えさせて、サイズの異なる使用者Ｕであっても使用することができる。もちろん、サイズ調整の必要性が低い場合の固定方法としては、図示を省略するが、リベットや、接着剤、溶着、縫製するなどの手法であっても差し支えない。
なおゴムバンド２０ｅやリベットや縫製糸は、使用の際に水滴等が付着するため、悪臭の発生や、錆の発生や、細菌の発生などが生じやすく、これらを防ぐために、防臭や、防錆や、除菌滅菌等の機能を具えた素材を用いることが好ましい。
【図面の簡単な説明】
【００２３】
【図１】本考案の入浴用キャップの使用状態を示す斜視図である。
【図２】同上側面図である。
【図３】連気口に通気調整部を設けた２種類の実施例を示す斜視図である。
【図４】入浴用キャップをシート状に形成した実施例を示す未使用状態の平面図（ａ）と側面図（ｂ）である。
【図５】サイズ調整部のための種々の構造を示す平面図である。
【符号の説明】
【００２４】
１        入浴用キャップ
２        冠載部
２０      サイズ調整部
２０ａ    ボタン
２０ｂ    差込部
２０ｃ    面状ファスナ
２０ｄ    スリット
２０ｅ    ゴムバンド
３        案内つば部
３０      連気口
３０Ａ    通気調整部
３１      先端縁部
３２      側縁部
３３      香料保持部
Ｂ        浴槽
Ｆ        顔面部
Ｈ        頭部
Ｐ        小袋（香気材料入れ）
Ｓ        湯気
Ｕ        使用者
Ｗ        湯
【図１】
0003113454.tif 000003
【図２】
0003113454.tif 000004
【図３】
0003113454.tif 000005
【図４】
0003113454.tif 000006
【図５】
0003113454.tif 000007